(57)【要約】【課題】サムターン軸と摘み部材の両部材が角度位相を有して共働回転する該サムターンにセンタリング機構を適用し、両部材が回転した後に、確実に初期位置に戻るようにすること。【解決手段】  サムターン軸２１と摘み部材１１の両部材が角度位相を有して共働回転するサムターン１に設けたセンタリング機構Ｘであって、センタリング機構は、付勢体３５の輪状部分３５ａがサムターン軸２１側又は摘み部材１１側のいずれかに装着され、該輪状部分の両端部に相当する一対の係合腕３５ｂが摘み部材側に突設した摘みセンタリング用舌片２０とサムターン軸側に突設したサムターン軸センタリング用舌片２８とを挟むように位置しているサムターンのセンタリング機構。【選択図】図３
2009035940.tif 000002
【特許請求の範囲】
【請求項１】
サムターン軸２１と摘み部材１１の両部材が角度位相を有して共働回転するサムターン１に設けたセンタリング機構Ｘであって、前記センタリング機構は、付勢体３５の輪状部分３５ａがサムターン軸２１側又は摘み部材１１側のいずれかに装着され、該輪状部分の両端部に相当する一対の係合腕３５ｂが摘み部材側に突設した摘みセンタリング用舌片２０とサムターン軸側に突設したサムターン軸センタリング用舌片２８とを挟むように位置していることを特徴とするサムターンのセンタリング機構。
【請求項２】
請求項１に於いて、摘み部材１１の筒状部分１４には、サムターン軸２１に突設した端係合部（作動端）２７と所要の係合自由度を有して係合する係合端面を有する弧状案内部１９が形成されていることを特徴とするサムターンのセンタリング機構。
【請求項３】
請求項１に於いて、付勢体３５の一対の係合腕３５ｂには、摘みセンタリング用舌片２０に摺接する支持ローラ３７が設けられていることを特徴とするサムターンのセンタリング機構。
【発明の詳細な説明】
【技術分野】
【０００１】
本発明は、サムターンのセンタリング機構に関し、特に摘み部材回転規制用のロック構造を備えた防犯サムターンに適合する。
【背景技術】
【０００２】
特許文献１には、「固定筒内に回転可能に内装され摘み部材並びにサムターン軸と共に回転可能なローター、ローターと交差するように固定筒内に配設され、かつ固定筒の係合溝と係脱する可動障害子、可動障害子に内端部側の脚部が係合し、先端部側のボタン状入力部が摘み部材の表面から突出するように摘み部材側の支軸を介して軸支された揺動レバー、揺動レバーを摘み部材がロック状態となるように可動障害子を係合方向に常時付勢する付勢手段を備えた防犯サムターン」が開示されている。
【０００３】
上記構成に於いて、摘み部材の規制（ロック）を解く場合には、ボタン状入力部を押圧すると、揺動レバーが支軸を支点に解消することから、可動障害子が固定筒の係合溝からは離れる。したがって、揺動レバーのボタン状入力部を押しながら摘み部材を回転することができるので、防犯サムターンとしての機能を発揮する。
【０００４】
しかしながら、特許文献１には、サムターンのセンタリング機構が具体的に記載されていない。また、特許文献１は、摘み側の入力部材及び作動障害子の部品点数が多くなる、入出力軸（ダルマ側）からサムターン軸を介して動かされる部材の数が多く成るといったような問題点があった。そこで、現在、部品点数を極極少なくするという観点から、また、揺動レバー方式以外の視点から、新規な方式の防犯サムターンの出現が要望されている。それに伴い、防犯サムターンを含め、サムターンに新規なセンタリング機構を適用することが期待されている。
【０００５】
なお、サムターンの技術分野ではないが、荷締ベルトの端部に装着されるベルトの金具にセンタリング機構を設ける考え（特許文献２の図７）、電子機器のロータリスイッチの摘み部材と固定筐体との間にセンタリング機構を設ける考え（特許文献３の図１、段落００１３）等が開示されている。
【特許文献１】特開２００５−４２４９８号公報
【特許文献２】特許公開平１０−１２９７１６号公報
【特許文献３】特開２００１−２０２８５１号公報
【発明の開示】
【発明が解決しようとする課題】
【０００６】
本発明の所期の目的は、サムターンに新規なセンタリング機構を適用することである。特に、サムターン軸と摘み部材の両部材が角度位相を有して共働回転する該サムターンにセンタリング機構を適用し、両部材が回転した後に、確実に初期位置に戻るようにすることである。第２の目的は、新規な防犯サムターンに適用することができることである。
【課題を解決するための手段】
【０００７】
本発明のサムターンのセンタリング機構は、サムターン軸２１と摘み部材１１の両部材が角度位相を有して共働回転するサムターン１に設けたセンタリング機構Ｘであって、前記センタリング機構は、付勢体３５の輪状部分３５ａがサムターン軸２１側又は摘み部材１１側のいずれかに装着され、該輪状部分の両端部に相当する一対の係合腕３５ｂが摘み部材側に突設した摘みセンタリング用舌片２０とサムターン軸側に突設したサムターン軸センタリング用舌片２８とを挟むように位置していることを特徴とする。
【発明の効果】
【０００８】
（ａ）サムターンに新規なセンタリング機構を適用することができる。特に、サムターン軸と摘み部材の両部材が角度位相を有して共働回転する該サムターンにセンタリング機構を適用し、軸の周方向に回転する両部材が所定量回転した後に、確実に初期位置に戻るようにした。
（ｂ）実施例のような新規な防犯サムターンに適用することができる。特に、防犯サムターンを構成する摘み部材のロック状態を解消する場合に於いて、動力変換手段により、摘み部材を固定筒の表面のロック溝から解く場合に有効である。それは、解除後にサムターン軸と摘み部材の両部材が、確実にセンタリングされ、前記固定筒のロック溝に摘み部材の摘み部分が係合するからである。
【発明を実施するための最良の形態】
【０００９】
以下、図１乃至図１６に示す本発明を実施するための最良の形態（第１実施例）により説明する。
【００１０】
（１）主要部の構造
図１はサムターンのセンタリング機構Ｘの主要部の構造を斜視的に示す。また、図２はセンタリング用付勢体である。まず、図１及び図２を参照にして主要部の構造を説明する。
【００１１】
図１に於いて、２は防犯サムターン１を構成する固定筒である。固定筒２は、説明の便宜上、仮想線で示してある。１１は固定筒２の先端部側から組み込まれる摘み部材である。この摘み部材１１は固定筒２に嵌挿され、摘み部材１１の軸芯方向である水平方向に移動可能であると共に、摘み部材１１の軸の周方向にも回転可能である。
【００１２】
摘み部材１１の各部位を簡単に説明する。まず、外側に環状に大きく見える実線の部位は、固定筒２の大軸孔３に嵌合する筒状部分（筒状壁）１４である。この筒状部分１４の内周壁の上位と下位の部分には、弧状案内部（弧状切欠部分）１９、１９がそれぞれ対向状態に形成されている。
【００１３】
但し、本実施例では、上位側の弧状案内部１９の中心部には、摘みセンタリング用舌片２０が半径内方向に突出するように設けられている。この舌片２０の突出量は不番の左右の弧状部分の肉厚を考慮して設定されている。
【００１４】
また、上方と下方の弧状案内部（弧状切欠部分）１９の各幅は、本実施例の防犯サムターン１が、後述する動力変換用の摩擦係合部分（カムと傾斜面）を有し、摘み部材１１のロックを解く時に、該摘み部材１１を固定筒２の表面のロック溝から外すために軸外方向へと所定量移動させることを条件としているので、係合する部材に対して、例えば１８度乃至２０度の係合自由度（遊び）を持たせている。
【００１５】
したがって、上方と下方の弧状案内部１９は左右に係合端面１９ａ、１９ｂをそれぞれ有している。付言すると、上方の弧状案内部１９の左右の係合端面１９ａ、１９ｂには、センタリング用付勢体３５の係合腕３５ｂにそれぞれ設けた支持ローラ３７が選択的に係合し（当たり）、これに対して、下方の弧状案内部１９の左右の係合端面１９ａ、１９ｂには、サムターン軸２１の端係合部（作動端部）２７が選択的に係合する（当たる）。
【００１６】
次に、中央部に円形に大きく見えるハッチングの部位は、摘み部材１１の軸部１５の大径軸部１５ａである。この大径軸部１５ａはサムターン軸２１の挿入孔２９に嵌入している（図１２、図１３参照）。
【００１７】
ここで、図１２、図１３を参照にして、サムターン軸２１の各部位を簡単に説明する。まず、２２は筒状のローター部で、このローター部２２は挿入孔２９を介して摘み部材１１の大径軸部１５ａに外嵌合している。このローター部２２は、図面上奥に位置している鍔部２５から手前側に突出している。
【００１８】
ローター部２２は、先端部の左右部位に突起状のカム２６を有する（図１０参照）。また、その先端部の上位には、摘みセンタリング用舌片２０と対向するサムターン軸センタリング用舌片２８が突出状態に設けられている。また、その先端部の下位には、下方の弧状案内部１９の中央部に位置する端係合部（作動端）２７が突出状態に設けられている。前記端係合部２７は、左右の係合端面１９ａ、１９ｂに対して遊び（間隙）を有して位置している。
【００１９】
さらに、端係合部２７及び舌片２８よりも内側の部位に相当する先端部には、付勢体装着用の環状部分（周壁）３６が周設されている。
次に、図２を参照にして、センタリング用付勢体３５の構成を説明する。付勢体３５は、本実施例では、ねじりコイルバネ３５が採用されている。このねじりコイルバネ３５は、二つの重なる輪状部分３５ａと、この輪状部分３５ａが三重となった所で両端部を外方向に折り曲げて形成された左右一対の係合腕３５ｂ、３５ｂとから成り、本実施例では、さらに、前記左右の係合腕３５ｂ、３５ｂに支持ローラ３７がそれぞれ回転自在に設けられている。
【００２０】
したがって、付勢体３５の両端部は、左右一対の支持ローラ３７を介して摘みセンタリング用舌片２０の左右側面に掛けられている。この支持ローラ３７は、本発明の必須要件ではないが、例えば本実施例のように、摘み部材１１のロックを解く時に、該摘み部材１１が軸外方向に所定量移動する場合は好ましい。
【００２１】
このように、摘み部材１１のロック解除の時に、サムターン軸２１と摘み部材１１の両部材が、周方向に所要或いは所定の角度位相を有して回転共働する場合には、換言すると、両部材１１、２１の係合関係に所要の係合自由度（遊び）を持せて一緒に同方向に共働回転させたときには、その後、両部材１１、２１がロック位置（初期位置）に戻るように、本実施例では、サムターン軸２１のローター部２２の環状部分（環状凹所）３６に付勢体３５の輪状部分３５ａを嵌合すると共に、輪状部分の交差状の両端部に相当する対向係合腕３５ｂ、３５ｂを両部材の並列する舌片２０、２８に挟持状態に保持させている。
上記構成により、両部材１１、２１は、回転の際に角度位相があっても、センタリング用付勢体３５の復帰力を利用することから、両部材１１、２１のセンタリングを確実に図ることができる。
【００２２】
図３及び図４は、両部材１１、２１の角度位相に関する作用を示す各概略説明図である。図３は両部材１１、２１の舌片２０、２８がロック位置Ｏに存在する場合を示す。一方、図４は所要の角度位相を有してサムターン軸２１がまず単独回転した状態を示す。
【００２３】
図３の場合、両部材１１、２１の舌片２０、２８は、基準線（センタリング線）Ｏ上に位置していることから、両部材１１、２１のセンタリングが保持されている。この時、サムターン軸２１の端係合部２７は、下方の弧状案内部１９の左右の係合端面１９ａ、１９ｂの間に遊びを有して符号Ａの位置に存在している。本実施例では、下方の弧状案内部１９の略中央部である。
【００２４】
そこで、図１０で示すように、今仮に、サムターン軸２１が図示しない錠箱側からの動力により、矢印方向に回り始めたとする。図３及び図４は、図１０とは反対に摘み部材１１側から見た説明図であるから、図４で示すように、まず、サムターン軸２１が単独で矢印で示す時計方向に回転し始める。
【００２５】
サムターン軸２１の単独回転時、遊びがある間摘み部材１１は回転しない。サムターン軸２１が所要量回転すると、図５で示すように（後述）、両部材１１、２１の摩擦係合部分により、回転力が軸方向の力に変換されることから、摘み部材１１はサムターン軸２１の挿入孔２９に内装した付勢バネ１６のバネ力に抗して外方向に押し出され、その摘み部分１２が固定筒２の表面のロック溝５から外れる。
【００２６】
しかして、摘み部材１１のロックが固定筒２から解かれると略同時に、サムターン軸２１の端係合部２７は、符号Ａ位置から符号Ｂ位置へと移行して摘み部材１１の係合端面１９ａに衝突（係合）するが、この衝突前、摘みセンタリング用舌片２０は基準線（センタリング）Ｏに位置しているのに対して、サムターン軸２１の舌片２８は係合自由度の範囲内で前記舌片２０から離れることから、付勢体３５は変位してその復帰力が働く。この復帰力が、その後、両部材１１、２１をロック位置（初期位置）に戻すためのセンタリング保持力と成る。
【００２７】
なお、図６は、両部材１１、２１が共働回転する旨の概略説明図である。本実施例では、９０度回転すると、図示しない錠前が施・解錠する。以下、本発明を適用した防犯サムターン１の詳細構造を説明する。
【００２８】
（２）防犯サムターン１自体の特徴部分
図７は防犯サムターン１の正面側からの斜視図、図８は防犯サムターン１の背面側からの斜視図である。図９はサムターン軸２１と摘み部材１１が初期位置（固定筒にロックされている状態）を示す。一方、図１０はサムターン軸２１が矢印Ａ方向に回転すると摘み部材１１が矢印Ｂ方向へ水平移動することを示す。本実施例のサムターン軸２１と該摘み部材１１との摩擦係合部分２６、１８は、サムターン軸２１のローター部２２の先端部に突出形成したカム２６と、該カムに押圧される傾斜面１８であり、サムターン軸２１の回転力を摘み部材１１の挿入軸部１５の外方向に変換させる機能を有する。
【００２９】
したがって、サムターン軸２１が所定量回転すると、摘み部材１１は付勢バネ１６のバネ力に抗して、かつ固定筒２のロック溝５の内壁面に案内されながら外方向に移動し、該ロック溝５からの規制が解かれる（図１１参照）。
【００３０】
（３）固定筒２
図１２は防犯サムターン（以下、「サムターン」という）１の縦断面説明図、図１３は水平断面説明図、そして、図１４は固定筒２の正面視側からの斜視図である。これらの図面から明らかなように、本実施例の固定筒２は、表面２ａから裏面２ｂに亘って摘み部材１１及びサムターン軸２１用の大・小の軸孔３、４を有し、該固定筒２の表面２ａには、例えばサムターン軸２１用の大軸孔（大嵌合孔）３と対して水平方向に交差する横向き凹所形状のロック溝（係止溝）５が形成されている。
【００３１】
このロック溝５は、初期位置（ロック位置）に於いて、摘み部材１１の回転をロックする摘み部材回転規制用のロック手段である。
【００３２】
ここで、図８又は図１３を参照にして、サムターン１の固定筒２の構造について付言する。符号６は図示しない扉の内壁面に内周面が当接する台形状取付けベース、７は取付けベース６の端面に突出形成されかつ扉の開口に嵌め込まれる小径筒状部である。
【００３３】
しかして、小径筒状部７の外周の左右部位には、サムターン１取付け用のネジ孔８を有する取付け部が連設形成されている。前記ネジ孔８は、ロック溝５の左右の底壁内面から小径筒状部７の後端面に亘って貫通している（図８参照）。
【００３４】
また、小径筒状部７の後端面寄りの内部には、サムターン軸用の小軸孔４を有する環状支持壁９が周設されている（図１３参照）。その他、固定筒２は適宜箇所に補強リブを有している。
【００３５】
（４）摘み部材１１
摘み部材１１は、固定筒２のロック溝５に係合する所定形状（例えば板状）の摘み部分１２と、この摘み部分１２の係合内端部１２ａに円形の垂直壁１３を介して後方に連結形成され、かつ固定筒２の大軸孔３に嵌合する筒状部分１４と、前記垂直壁１３の内壁の中央部から前記筒状部分１４から食み出すように水平に延在して該サムターン軸２１の挿入孔２９にスライド自在に挿入する軸部１５から成る。
【００３６】
しかして、前記軸部１５は長杆状に形成され、後述するサムターン軸２１のローター部２２に嵌挿される大径軸部１５ａと、この大径軸部１５ａに連設してサムターン軸２１の入出力軸部２３に嵌入される小径の挿入端部１５ｂとから成り、前記挿入端部１５ｂに付勢バネ１６が巻装されている。
【００３７】
そして、付勢バネ１６は、挿入端部１５ｂの内周のメネジと螺合するバネ端支持具１７に支持されている。このように、本実施例の引回し式の摘み部材１１は、固定筒２のロック溝５、サムターン軸２１に形成した挿入孔２９及び固定筒２の大軸孔３に組込まれている。
【００３８】
図１５は挿入端部１５ｂ側から見た摘み部材１１の全体の斜視図である。図１５、図９、図１０を参照にして、摘み部材１１の筒状部分１４に形成した摩擦係合部分２６、１８の一方を説明する。本実施例では、サムターン軸２１のローター部２２の先端部の左右部位に山形形状のカム２６がそれぞれ突出形成されていることから、摘み部材１１の筒状部分１４の対応する左右部位に外拡形状の傾斜面（摩擦面）１８を形成している。
【００３９】
付言すると、摘み部材１１の筒状部分１４の左右部位は、それぞれ横向きＶ字形状に切欠され、これらの受け傾斜面１８がサムターン軸に形成した突起状のカムとの摩擦抵抗により、サムターン軸の回転力を軸方向（摘み部材１１を押し出す方向）の押出力に変換する。
【００４０】
また、摘み部材１１の筒状部分１４の内周面の適宜箇所には、例えば左右の摩擦係合部分１８の間に相当する一方の弧状壁の内壁面に、左右に係合端面１９ａ、１９ｂを有する弧状案内部（弧状切欠部分）１９が形成されている。さらに、筒状部分１４の他方の弧状壁の内壁面には、摘みセンタリング用舌片２０が突設されている。
【００４１】
（５）サムターン軸２１
図１６はサムターン軸２１の先端部（前部）から見た斜視図である。図１２及び図１３にはサムターン軸２１の断面構造が示されている。本実施例のサムターン軸２１は、例えば図１３で示すように、固定筒２の小軸孔４に支承される略中心部を基準として、固定筒２の環状支持壁９よりも前側を大径筒状の「ローター部２２」とし、一方、環状支持壁９よりも後側を小径筒状の「入出力軸部２３」と位置付けることができる。
【００４２】
サムターン軸２１のローター部２２の先端面から入出力軸部２３の後端面に至る外周壁は断面段差状され、また、止め具２４用の周溝等が適宜に形成されているが、本発明の目的に関係のない新規的事項の説明は簡単に説明する。
【００４３】
さて、図１６で示すように、筒状のローター部２２は、外周に鍔部２５が周設され、該鍔部２５の左右部位に先端方向に「く」字形状に突出する一対のカム２６が設けられている。これらの左右一対のカム２６が摩擦係合部分の他方に相当する。
【００４４】
また、ローター部２２は、左右のカム２６の間であって、鍔部２５の下位或いは上位に突起状の端係合部２７を有すると共に、鍔部２５の上位或いは下位にサムターン軸センタリング用舌片２８等を有している。
【００４５】
前記端係合部２７は、摘み部材１１の弧状案内部１９の係合端面１９ａ、１９ｂに選択的に係合し、摘み部材１１のロック解除時、サムターン軸と一緒に摘み部材１１を回転させる役割を果す。なお、符号２９はサムターン軸の挿入孔である。この挿入孔２９の内部に付勢バネの内端部を受けるバネ端支持壁３０が設けられている。
【００４６】
（６）主な作用
錠箱側からの動力により、サムターン軸２１が回転すると、摘み部材１１は、サムターン軸２１と該摘み部材１１との摩擦係合部分２６、１８を介して、かつサムターン軸２１の挿入孔２９に内装した付勢バネ１６のバネ力に抗して外方向に押し出され、その摘み部分１４が固定筒２の表面２ａのロック溝５から外れる（ロック解消）。
【００４７】
したがって、サムターン軸２１と一緒に摘み部分１２が共働回転する。なお、室内側からは、摘み部材１１を手前に引いてロックを解き、その状態で所定方向に回すこともできる。
【実施例】
【００４８】
本実施例では、摘み部材１１とサムターン軸２１の両部材に付勢体３５を配設したが、もちろん、摘み部材１１に図示しない筒状のローター（摘み部材１１と一緒に回転する回転体）を一体的に連結し、該ローターと、該ローターに嵌挿するサムターン軸２１に、本発明のセンタリング機構Ｘを適用しても良い。
【００４９】
ところで、本実施例では、センタリング機構Ｘを構成する付勢体３５の輪状部分３５ａは、サムターン軸２１の端係合部２７及び舌片２８を有する先端部の付勢体装着用環状部分（周壁）３６に巻装されている。
【００５０】
しかし、付勢体３５の輪状部分３５ａの装着位置は、本実施例に限定されるものではなく、図１７乃至図１９に示す第２実施例のように、摘み部材１１やサムターン軸２１の特定の部位を任意に設計変更して、前記輪状部分３５ａを摘み部材１１の筒状部分１４の内部に形成した付勢体装着用環状部分（周壁）３６に装着（巻装）しても良い。
【００５１】
付言すると、図１５に相当する図１７では、筒状部分１４の内周と軸部１５の外周との間に所要の空隙を有して環状部分（周壁）３６が形成している。これに対応して、図１６に相当する図１８では、サムターン軸２１側に存在していた環状部分（周壁）３６を無くしている。
【００５２】
上記のように、付勢体３５の輪状部分３５ａの装着位置を任意に変えても、該輪状部分の一対の係合腕３５ｂは、摘み部材１１側に突設した摘みセンタリング用舌片２０とサムターン軸２１側に突設したサムターン軸センタリング用舌片２８とを挟むように位置していることから、第１実施例と同一の作用・効果を得ることができる。
【００５３】
なお、特に図示しないが、摘み部材１１の弧状案内部（弧状切欠部分）１９と、これに係合するサムターン軸２１の端係合部２７との関係についても、逆の態様に設計変更しても、第１実施例と同一の作用・効果を得ることができる（均等論の範囲内）。また、センタリング用舌片２０、２８に関しても、例えば凸部を係止溝に設計変更しても、第１実施例と同一の作用・効果を得ることができる（均等論の範囲内）。
【００５４】
さらに、サムターン軸２１と該摘み部材１１との摩擦係合部分２６、１８は、任意に設計変更可能である。例えば摘み部材側を突状のカム２６とし、サムターン軸側を凹所状の傾斜面１８とする例である。
【産業上の利用可能性】
【００５５】
本発明は、主に錠前や建具の業界で利用される。
【図面の簡単な説明】
【００５６】
図１乃至図１６は本発明の最良の実施形態（第１実施例）を示す各説明図。図１７乃至図１９は本発明の最良の実施形態（第２実施例）を示す各説明図。
【図１】主要部を示す概略の斜視図。
【図２】センタリング用付勢体の斜視図。
【図３】ロック位置の状態における概略説明図。
【図４】サムターン軸が単独回転した概略説明図。
【図５】図４の場合に摘み部材のロックが解かれる旨の概略説明図。
【図６】サムターン軸と摘み部材が共働回転する旨の概略説明図。
【図７】防犯サムターンの正面側からの斜視図。
【図８】防犯サムターンの背面側からの斜視図。
【図９】固定筒を省略した要部の斜視図（ロック位置の状態）。
【図１０】固定筒を省略した要部の斜視図（ロック解錠状態）。
【図１１】ロック解錠状態の正面側からの斜視図。
【図１２】縦断面概略説明図。
【図１３】横断面概略説明図。
【図１４】固定筒の正面側からの斜視図。
【図１５】摘み部材の軸部側からの斜視図。
【図１６】サムターン軸のカム側からの斜視図。
【図１７】第２実施例の摘み部材の軸部側からの斜視図。
【図１８】サムターン軸のカム側からの斜視図。
【図１９】図３と同様にロック位置の状態における概略説明図。
【符号の説明】
【００５７】
Ｘ…センタリング機構、Ｏ…ロック位置（基準線、センタリング）、３５…センタリング用付勢体、３５ａ…輪状部分、３５ｂ…係合腕、３６…環状部分（環状凹所）、３７…支持ローラ、１…防犯サムターン、２…固定筒、２ａ…表面、２ｂ…裏面、３…大軸孔、４…小軸孔、５…ロック溝、６…取付けベース、７…小径筒状部、８…ネジ孔、９…環状支持壁、１１…摘み部材、１２…摘み部分、１２ａ…係合内端部、１３…垂直壁、１４…筒状部分、１５…軸部、１５ａ…大径軸部、１５ｂ…小径の挿入端部、１６…付勢バネ、１７…バネ端支持具、１８…傾斜面（摩擦面）、１９…弧状案内部（弧状切欠部分）、１９ａ、１９ｂ…係合端面、２０…摘みセンタリング用舌片、２１…サムターン軸、２２…ローター部、２３…入出力軸部、２４…止め具、２５…鍔部、２６…カム、２７…端係合部、２８…サムターン軸センタリング用舌片、２９…サムターン軸の挿入孔、３０…バネ端支持壁。
【図１】
2009035940.tif 000003
【図２】
2009035940.tif 000004
【図３】
2009035940.tif 000005
【図４】
2009035940.tif 000006
【図５】
2009035940.tif 000007
【図６】
2009035940.tif 000008
【図７】
2009035940.tif 000009
【図８】
2009035940.tif 000010
【図９】
2009035940.tif 000011
【図１０】
2009035940.tif 000012
【図１１】
2009035940.tif 000013
【図１２】
2009035940.tif 000014
【図１３】
2009035940.tif 000015
【図１４】
2009035940.tif 000016
【図１５】
2009035940.tif 000017
【図１６】
2009035940.tif 000018
【図１７】
2009035940.tif 000019
【図１８】
2009035940.tif 000020
【図１９】
2009035940.tif 000021